(57)【要約】【課題】発泡樹脂製のパネル本体を気温の変化による膨張、収縮に拘わらずパネル殻体に確実に芯出し可能な浴室の洗い場床パネルを提供する。【解決手段】浴室の洗い場床パネル３の発泡樹脂からなるパネル本体１０を金属製のパネル殻体２０に収容する。パネル殻体２０の底板２３の周縁部から周側板２４を上へ突出させる。周側板２４の上端高さにおけるパネル本体１０の平面断面１０ｃを底板２３より大きくし、かつパネル本体１０の底面１０ｂを底板２３より小さくする。【選択図】図４
2019094761.tif 000002
【特許請求の範囲】
【請求項１】
浴室の洗い場に設けられる洗い場床パネルであって、
発泡樹脂からなるパネル本体と、
底板及び前記底板の周縁部から立ち上がる周側板を有して、前記パネル本体が収容される金属製のパネル殻体と、
を備え、前記周側板の上端高さにおける前記パネル本体の平面断面が前記底板より大きく、前記パネル本体の底面が前記底板より小さいことを特徴とする洗い場床パネル。
【請求項２】
前記パネル本体の側面が上方へ向かうにしたがって外方へ傾く傾斜部を有していることを特徴とする請求項１に記載の洗い場床パネル。
【請求項３】
前記傾斜部の鉛直方向に対する傾斜角度が、２°〜１０°であることを特徴とする請求項２に記載の洗い場床パネル。
【請求項４】
前記周側板が互いに交差する側板部を有し、これら側板部どうしの間に縁切りスリットが形成されていることを特徴と請求項１〜３の何れか１項に記載の洗い場床パネル。
【請求項５】
前記パネル本体と前記パネル殻体とが接着剤によって接着されていることを特徴とする請求項１〜４の何れか１項に記載の洗い場床パネル。
【請求項６】
前記パネル殻体が、前記パネル本体の上面に被さる蓋板を有していることを特徴とする請求項１〜５の何れか１項に記載の洗い場床パネル。
【発明の詳細な説明】
【技術分野】
【０００１】
本発明は、浴室の洗い場床パネルに関し、特に発泡樹脂製のパネル本体を有する洗い場床パネルに関する。
【背景技術】
【０００２】
例えば特許文献１、２における浴室の洗い場床パネルは、発泡ポリプロピレンなどの発泡樹脂からなるパネル本体を備えている。パネル本体の底部には補強用の鋼板からなる底板が設けられ、パネル本体の上面にはクッション材を介して軟質シートが設けられている。
【先行技術文献】
【特許文献】
【０００３】
【特許文献１】特開２０１５−１８３４１４号公報
【特許文献２】特開２０１３−２０９８５３号公報
【発明の概要】
【発明が解決しようとする課題】
【０００４】
前掲特許文献の洗い場床パネルは底板だけで強度を持たせているため、底部に更に補強フレームを設ける必要がある。
そこで、発明者は、パネル本体の下に設けられる金属製の底板から周側板を立ち上げることで箱状のパネル殻体となし、発泡樹脂製のパネル本体を前記パネル殻体に収容することを発案した（特願２０１６−１１４０６６）。
【０００５】
このような材質の異なる複数の部品を組み合わせて複層構造の洗い場床パネルを製造する際、重要なポイントは芯出し（位置決め）である。特にパネル本体の材質である発泡樹脂とパネル殻体の材質である金属とは、温度変化に対する膨張収縮率が互いに異なる。例えば、発泡スチロールの線膨張係数は約７０Ｘ１０−６／Ｋであるのに対し、鉄の線膨張係数は約１１．７Ｘ１０−６/Ｋである。
このため、気温が低い冬場は、パネル本体がパネル殻体よりも収縮し過ぎて位置ずれが起きやすくなる。適当な冶具を用いて位置出しすることが考えられるが、そうやってパネル本体をパネル殻体に収容した後、接着剤の硬化工程の間にパネル本体が動くこともあり得る。位置ずれしていると、排水口部材や浴室壁フレームなどの取り付けに支障を来すおそれがある。
一方、気温が高い夏場は、パネル本体がパネル殻体に対して膨張し過ぎて、パネル本体をパネル殻体に嵌め込めなくなるおそれがある。
本発明は、かかる事情に鑑み、発泡樹脂製のパネル本体と金属製のパネル殻体を気温変化による膨張、収縮などに拘わらず、正確に位置出し（芯出し）可能な浴室洗い場床パネルを提供することを目的とする。
【課題を解決するための手段】
【０００６】
前記課題を解決するために、本発明は、浴室の洗い場に設けられる洗い場床パネルであって、
発泡樹脂からなるパネル本体と、
底板及び前記底板の周縁部から立ち上がる周側板を有して、前記パネル本体が収容される金属製のパネル殻体と、
を備え、前記周側板の上端高さにおける前記パネル本体の平面断面が前記底板より大きく、前記パネル本体の底面が前記底板より小さいことを特徴とする。 
【０００７】
好ましくは、夏場の極端な高温時においても、パネル本体の底面がパネル殻体の底板より小さくなるように寸法設定する。これによって、パネル本体の底部をパネル殻体に確実に嵌め入れることができる。さらにパネル殻体の周側板がパネル本体の側面に当たることによって、パネル本体をパネル殻体に対して位置決め（芯出し）できる。
好ましくは、冬場の極端な低温時においても、パネル本体の前記平面断面がパネル殻体の底板より大きくなるように寸法設定する。これによって、パネル本体の側面がパネル殻体の周側板に確実に当たるようにことができる。この当たりによって、パネル本体とパネル殻体を位置決め（芯出し）できる。
高膨張率のパネル本体を低膨張率のパネル殻体で囲んで拘束することによって、気温が変動してもパネル本体が大きく膨張、収縮するのを抑制できる。パネル本体の膨張、収縮を抑制することによって、パネル本体の周りの水密材のちぎれ等を防止できる。
【０００８】
前記パネル本体の側面が上方へ向かうにしたがって外方へ傾く傾斜部を有していることが好ましい。
パネル本体をパネル殻体に嵌め入れる際は、パネル本体の側面の傾斜部がパネル殻体の周板部の各側板部に当たる。更に各側板部が傾斜部の案内作用によって外方へ傾斜される。パネル本体は各側板部の弾性力によって内方へ押される。これによって、パネル本体をパネル殻体に対して芯出しできる。
【０００９】
前記傾斜部の鉛直方向に対する傾斜角度は、好ましくは２°〜１０°であり、より好ましくは６°程度である。
これによって、パネル本体をパネル殻体に嵌め入れる際、傾斜部による前記案内作用を確実に発現させることができる。
前記傾斜角度が２°未満であると、気温によってパネル本体の底面がパネル殻体の底板より大きくなったり、パネル本体の前記平面断面が底板より小さくなったりするおそれがある。
前記傾斜角度が１０°超であると、パネル本体をパネル殻体に嵌め込む際に周側板の上端部が傾斜部に突き刺さるおそれがある。
【００１０】
前記周側板が互いに交差する側板部を有し、これら側板部どうしの間に縁切りスリットが形成されていることが好ましい。
これによって、側板部どうしが縁切りされる。したがって、各側板部が、曲げ変形されやすくなり、パネル本体の側面に倣って確実に傾斜されるようにできる。
【００１１】
前記パネル本体と前記パネル殻体とが接着剤によって接着されていることが好ましい。
接着剤としては、例えば２液混合ウレタン系などの熱硬化性接着剤を用いることができる。パネル本体の側面にパネル殻体の周側板が弾性的に当たって保持されることによって、前記接着剤が硬化するまでの間に位置ずれが起きるのを防止できる。
【００１２】
前記パネル殻体が、前記パネル本体の上面に被さる蓋板を有していることが好ましい。これによって、パネル本体の上下及び側部をパネル殻体によって囲むことで確実に補強できる。前記蓋板とパネル本体とは接着剤によって接合されていることが好ましい。
更に前記蓋板上に表層シートが被さっていることが好ましい。表層シートによって、クッション感、意匠性、防水性等を確保できる。
【発明の効果】
【００１３】
本発明によれば、浴室の洗い場床パネルにおける発泡樹脂製のパネル本体と金属製のパネル殻体を正確に位置出し（芯出し）して組み付けることができる。
【図面の簡単な説明】
【００１４】
【図１】図１は、本発明の一実施形態に係る浴室の洗い場床パネルを示す、図２のＩ−Ｉ線に沿う平面図である。
【図２】図２は、図１のＩＩ−ＩＩ線に沿う、前記洗い場床パネルの断面図である。
【図３】図３は、前記洗い場床パネルの分解斜視図である。
【図４】図４は、前記洗い場床パネルのパネル本体と下殻部材の組付け手順を順次示す断面図であり、同図（ａ）は組付け前の状態を示し、同図（ｂ）はパネル本体と下殻部材が接した状態を示し、同図（ｃ）はパネル本体が下殻部材に嵌め込まれる途中の状態を示す。同図（ｄ）は図２のＩＶｄ−ＩＶｄ線に沿う断面図である。
【図５】図５は、図４（ｂ）のＶ−Ｖ線に沿う平面図である。
【図６】図６（ａ）は、通常温度時における図４（ｄ）の円部ＶＩａの拡大断面図である。図６（ｂ）は、夏場の高温時においてパネル本体が下殻部材に嵌った状態を示す一部拡大断面図である。図６（ｃ）は、冬場の低温時においてパネル本体が下殻部材に嵌った状態を示す一部拡大断面図である。
【発明を実施するための形態】
【００１５】
以下、本発明の一実施形態を図面にしたがって説明する。
図１は、建物内に納められる浴室ユニットの洗い場を示したものである。洗い場の底部に洗い場床パネル３が設けられている。図１〜図３に示すように、洗い場床パネル３は、パネル本体１０と、パネル殻体２０と、表層シート３０を備え、平面視で長方形状（四角形状）になっている。
【００１６】
パネル本体１０は、ＥＰＳ（発泡ポリスチレン）等の発泡樹脂によって長方形（四角形）の板状に成形されている。前記ＥＰＳの発泡倍率は、好ましくは１５倍〜３０倍程度であり、より好ましくは２０倍程度である。ＥＰＳからなるパネル本体１０の線膨張係数は７０Ｘ１０−６／Ｋ程度である。
なお、パネル本体１０の材質は、ＥＰＳに限られず、発泡ポリプロピレン、発泡ポリエチレン等であってもよい。
【００１７】
図１に示すように、パネル本体１０の上面１０ａにおける浴槽２側を除く３つの縁部には縁溝１３が形成されている。縁溝１３には押出成形樹脂製の縁枠部材４３が設けられている。２つの縁溝１３が交わるコーナーには、射出成形樹脂製のコーナー枠部材４４が設けられている。
図示は省略するが、パネル本体１０と枠部材４３，４４との間は水密材によって防水処理されている。
なお、パネル本体１０の浴槽側（図２において左側）の縁部には立ち上り部１２（土手部）が上方へ突出するように形成されている。
【００１８】
図２及び図４（ａ）に示すように、パネル本体１０の４つの側面１４には、それぞれ傾斜部１４ｂが形成されている。傾斜部１４ｂは、パネル本体１０の底面１０ｂから上方へ向かうにしたがって外方へ傾いている。このため、側面１４の上方側が下方側より外方へせり出している。
図４（ａ）に示すように、傾斜部１４ｂの鉛直方向に対する傾斜角度αは、好ましくはα＝２°〜１０°程度であり、より好ましくはα＝６°程度である。
なお、図４においては、高さ方向ないしは厚み方向（同図の上下方向）が、幅方向（同図の左右方向）に対して誇張されている。
【００１９】
図２及び図３に示すように、パネル本体１０の排水口位置には排水用装着穴１５が形成されている。排水用装着穴１５には排水口ベース部材５１が装着されている。 
パネル本体１０の上面１０ａには、排水用装着穴１５へ向かう下がり勾配が付けられている。
なお、図２における前記勾配は、作図の都合上、誇張されている。
【００２０】
図２及び図３に示すように、パネル殻体２０は、下殻部材２１と、蓋板２２を含む。
下殻部材２１は、鋼板などの金属板を成形（シャーリング、穴開け、折り曲げなど）することによって構成されている。下殻部材２１の厚みは、好ましくは０．５ｍｍ〜１．２ｍｍ程度であり、より好ましくは０．６ｍｍ程度であるが、必ずしも前記数値に限定されるものではない。鋼製の下殻部材２１の線膨張係数は約１１．７Ｘ１０−６/Ｋ程度である。
したがって、パネル本体１０が下殻部材２１よりも気温変化による膨張、収縮の度合が大きい。
【００２１】
図２及び図３に示すように、下殻部材２１は、底板２３と、周側板２４を有している。底板２３は四角形である。底板２３の排水口位置には排水用装着穴２５が形成されている。排水用装着穴２５に前記トラップベース部材５１が装着されている。
【００２２】
底板２３の周縁部には周側板２４が一体形成されている。周側板２４は、４つの側板部２４ａを含む。各側板部２４ａが、底板２３からほぼ直角に立ち上がっている。互いに直交（交差）する２つの側板部２４ａどうしの間には、縁切りスリット２４ｃが形成されている。縁切りスリット２４ｃによって、これら側板部２４ａどうしが縁切りされ、直接にはつながっていない。
【００２３】
４つの側板部２４からなる周側板２４の上端部によって、下殻部材２１の開口２１ａが画成されている。図５に示すように、パネル殻体２０にパネル本体１０を嵌める前の自然状態における開口２１ａの大きさ（開口面積Ｓ２１ａ）は、底板２３の大きさ（面積Ｓ２３）と実質的に等しい（Ｓ２１ａ＝Ｓ２３）。実質的に等しいとは公差程度の違いは等しいとみなす意である。
【００２４】
図５に示すように、下殻部材２１の底板２３は、パネル本体１０の底面１０ｂより大きく、かつ周側板２４の上端高さにおけるパネル本体１０の平面断面１０ｃ（図４（ｄ））より小さい。言い換えると、パネル本体１０の平面断面１０ｃは、底板２３より大きく、ひいては自然状態（図４（ａ）〜図４（ｂ））における下殻部材２１の開口２１ａより大きい。かつパネル本体１０の底面１０ｂは、底板２３ひいては前記開口２１ａより小さい。
【００２５】
好ましくは、夏場の極端な高温時（例えば３０℃〜４０℃程度）においても、パネル本体１０の底面１０ｂが底板２３より小さくなるように寸法設定されている。
かつ好ましくは、冬場の極端な低温時（例えば０℃〜１０℃程度）においても、パネル本体１０の平面断面１０ｃが底板２３より大きくなるように寸法設定されている。
更に好ましくは、前記極端な高温時又は極端な低温時に加えて、パネル本体１０及び下殻部材２１の製造誤差が最大許容値であるときでも、要するに複合公差の上限又は下限においても、パネル本体１０の平面断面１０ｃが底板２３より大きく、かつパネル本体１０の底面１０ｂが底板２３より小さくなるように設定されている。
【００２６】
図２及び図４（ｄ）に示すように、下殻部材２１にパネル本体１０が収容されている。底板２３がパネル本体１０の底面１０ｂに被さっている。周側板２４の４つの側板部２４ａが、パネル本体１０の４つの側面１４にそれぞれ被さっている。各側板部２４ａは、パネル本体１０に押されることによって傾斜部１４ｂに倣って上方へ向かうにしたがって外方へ傾けられている。これによって、下殻部材２１の開口２１ａが、パネル本体１０の平面断面１０ｃと等大になっている。
【００２７】
パネル本体１０と下殻部材２１とは接着剤（図示省略）によって接着されている。接着剤としては、例えば熱硬化性の２液混合ウレタン系接着剤が用いられているが、必ずしもこれに限定されるものではなく、シリコーン系接着剤、エポキシ系接着剤その他の接着剤を用いてもよい。接着剤は、パネル本体１０と下殻部材２１との間の好ましくは全域に塗布されている。
なお、所要の接合性を得られるのであれば、接着剤をパネル本体１０と下殻部材２１との間の一部分に塗布してもよい。
【００２８】
図２に示すように、パネル本体１０における立ち上り部１２を除く部分の上面１０ａには蓋板２２が被さっている。蓋板２２は、鋼板などの金属板を成形（シャーリング、穴開けなど）することによって構成されている。蓋板２２の厚みは、好ましくは０．５ｍｍ〜１．２ｍｍ程度であり、より好ましくは０．８ｍｍ程度であるが、必ずしも前記数値に限定されるものではない。
蓋板２２の排水口位置には、排水用切欠凹部２２ｃが形成されている。
なお、立ち上り部１２の浴槽側面（図２において左側面）及び上面には、アルミ押出成形材からなる立ち上り補強カバー２６が被さっている。
【００２９】
パネル本体１０と蓋板２２とは接着剤（図示省略）によって接着されている。該接着剤の材質及び塗布範囲は前記パネル本体１０と下殻部材２１との接着剤と同様である。
【００３０】
図２及び図３に示すように、蓋板２２の上面には表層シート３０が被さっている。表層シート３０は、蓋板２２の全域を覆うとともに、立ち上り部１２の洗い場側面（図２において右側面）にも及んでいる。図示は省略するが、表層シート３０の裏面（下面）の全域には粘着テープが積層されている。該粘着テープを介して表層シート３０と蓋板２２及び立ち上り部１２とが接合されている。
【００３１】
表層シート３０は、軟質塩化ビニル樹脂（ＰＶＣ）によって構成されているが、これに限られずシリコンラバー等によって構成されていてもよい。表層シート３０の厚みは、好ましくは２ｍｍ〜４ｍｍ程度であるが、必ずしも前記数値に限定されるものではない。表層シート３０は、防水性を有している。更に、表層シート３０によって、洗い場床パネル３の温熱感性及びクッション性が確保されている。
【００３２】
図１に示すように、表層シート３０の排水口位置には排水用装着穴３５が形成されている。排水用装着穴３５の縁部に排水縁部材５３が装着されている。図２に示すように、排水縁部材５３が、排水口ベース部材５１の上面に被せられて接合されている。
排水口ベース部材５１と排水縁部材５３とによって排水口部材５０が構成されている。
【００３３】
図１及び図２に示すように、洗い場床パネル３の外周部には、取付金具６３，６４が設けられている。側方取付金具６３は、下殻部材２１の浴槽側を除く３つの側板部２４ａにネジ止めによって固定されるとともに縁枠部材４３に係止されている。コーナー取付金具６４は、下殻部材２１のコーナーにおいて交差する２つの側板部２４ａに跨ってネジ止めされるとともに、コーナー枠部材４４に係止されている。
更に、図１及び図２に示すように、各取付金具６３，６４に支柱部材１ｇの下端部が連結されて支持されている。隣接する支柱部材１ｇどうしの間に浴室壁又は浴室扉枠１ｆが設置されるとともに、浴室壁又は浴室扉枠１ｆの側端部が支柱部材１ｇに連結されて支持されている。浴室壁又は浴室扉枠１ｆの下端部が枠部材４３，４４に挿し込まれている。
【００３４】
洗い場床パネル３は、例えば次のようにして作製される。
洗い場床パネル３の構成部材をそれぞれ作製する。
下殻部材２１及びパネル本体１０の一方（好ましくは下殻部材２１）に熱硬化性接着剤を塗布する。
【００３５】
続いて、図４に示すように、パネル本体１０を下殻部材２１に収容する。
詳細には、図４（ａ）に示すように、パネル本体１０を下殻部材２１の上方にある程度位置合わせしながら降ろす。
すると、図４（ｂ）に示すように、パネル本体１０の底面１０ｂが下殻部材２１の開口２１ａより小さいから、パネル本体１０の底部が下殻部材２１の開口２１ａに入り込む。そして、パネル本体１０の側面１４の傾斜部１４ｂが周側板２４の上端部に当たる。
パネル本体１０が収縮する冬場（図４（ｂ）の三点鎖線）はもちろんのこと、パネル本体１０が膨張する夏場（図４（ｂ）の二点鎖線）であっても、パネル本体１０の底部を下殻部材２１内に確実に挿し入れることができ、パネル本体１０の側面傾斜部１４ｂを周側板２４の上端部に確実に当てることができる。
パネル本体１０の四方の傾斜部１４ｂが側板部２４ａにそれぞれ当たるようにすることで、パネル本体１０を下殻部材２１に対して容易に位置調節できる。
【００３６】
図４（ｃ）に示すように、パネル本体１０を更に押し下げて下殻部材２１内に挿し入れる。すると、周側板２４の４つの側板部２４ａが傾斜部１４ｂに押されて外方へ傾斜される。その反作用によってパネル本体１０が四方から弾性的に押される。これによって、パネル本体１０を下殻部材２１に対して芯出しできる。
各側板部２４ａは、縁切りスリット２４ｃによって隣接する側板部２４ａから縁切りされているため容易に弾性変形可能である。
傾斜部１４ｂの傾斜角度αをα＝２°〜１０°程度、より好ましくはα＝６°程度とすることによって、周側板２４をスムーズに外方へ傾斜させていくことができる。
【００３７】
ちなみに、α＜２°であると、夏場の高温時にパネル本体１０の底面１０ｂが開口２１ａより大きくなってパネル本体１０を嵌め込み不能になったり、冬場の低温時にパネル本体１０の平面断面１０ｃが開口２１より小さくなり位置ずれが起きやすくなったりするおそれがある。
α＞１０°であると、パネル本体１０をパネル殻体２０に嵌め込む際に周側板２４の上端部が傾斜部１４ｂに突き刺さるおそれがある。
【００３８】
図４（ｄ）及び図６（ａ）に示すように、やがて、パネル本体１０の底面１０ｂが底板２３に接することで、パネル本体１０の下殻部材２１への嵌め込みが完了する。パネル本体１０の４つの側面１４にそれぞれ側板部２４ａが弾性的に当たることによって、パネル本体１０と下殻部材２１の位置ずれを防止できる。
図６（ｂ）に示すように、パネル本体１０が膨張する夏場はもちろんのこと、図６（ｃ）に示すように、パネル本体１０が収縮する冬場であっても、周側板２４をパネル本体１０に確実に当てることができ、位置ずれを確実に防止することができる。
【００３９】
次いで、パネル本体１０又は蓋板２２に熱硬化性接着剤を塗布し、パネル本体１０上に蓋板２２を被せる。
これらパネル積層体１０，２１，２２を真空圧空熱プレス機で圧力を加えながら加熱することによって、熱硬化性接着剤を硬化させる。
パネル本体１０の側面１４に周側板２４が当たって保持されているから、熱硬化性接着剤が硬化するまでの間に位置ずれが起きるのを防止できる。
【００４０】
パネル本体１０の浴槽側の部分には、立ち上り補強カバー２６を設ける。
排水用装着穴１５，２５にはトラップベース部材５１を設ける。パネル本体１０と下殻部材２１が正確に位置合わせされているから、排水用装着穴１５，２５どうしを確実に一致させることができ、トラップベース部材５１を確実に装着することができる。 
【００４１】
パネル本体１０の三方の縁溝１３には、それぞれ縁枠部材４３を設ける。２つのコーナーには、それぞれコーナー枠部材４４を設ける。
次に、表層シート３０を粘着テープで蓋板２２に貼り付ける。
このようにして、洗い場床パネル３が作製される。
【００４２】
前記洗い場床パネル３を建物の浴室施工現場に搬入して据え付けた後、洗い場床パネル３の外周部に取付金具６３，６４を設置する。パネル本体１０とパネル殻体２０が正確に位置合わせされており、ひいては枠部材４３，４４と下殻部材２１が正確に位置合わせされているから、取付金具６３，６４を下殻部材２１から枠部材４３，４４に跨って確実に取り付けることができる。したがって、浴室施工現場において、取付金具６３，６４に支柱部材１ｇを確実に取り付けることができる。
【００４３】
洗い場床パネル３においては、高膨張率のパネル本体１０が低膨張率のパネル殻体２０によって囲まれて拘束されているから、気温が変動してもパネル本体１０が大きく膨張、収縮するのを抑制できる。したがって、パネル本体１０の周りの水密材（図示省略）のちぎれ等を防止できる。
【００４４】
本発明は、前記実施形態に限定されるものではなく、その趣旨に反しない限りにおいて種々の改変をなすことができる。
例えば、冬場などの極端な低温時には、パネル本体１０の平面断面１０ｃが下殻部材２１の開口２１ａより僅かに小さく、パネル本体１０の側面１４と下殻部材２１の周側板２４との間に僅かなクリアランス（例えば０．５ｍｍ程度以内）が形成されるようになっていてもよい。
パネル本体１０の側面１４が、上方側が下方側よりせり出す段差を有していてもよい。
蓋板２２を省略してもよい。パネル本体１０に表層シート３０を直接貼り付けてもよい。
浴室とはシャワー室も含む。
【産業上の利用可能性】
【００４５】
本発明は、例えば浴室の洗い場床に適用可能である。
【符号の説明】
【００４６】
α      傾斜角度
３      洗い場床パネル
１０    パネル本体
１０ｂ  底面
１０ｃ  平面断面
１４    側面
１４ｂ  傾斜部
２０    パネル殻体
２１    下殻部材
２１ａ  開口
２２    蓋板
２３    底板
２４    周側板
２４ａ  側板部
２４ｃ  縁切りスリット
３０    表層シート
４３，４４  枠部材
５０    排水口部材
６３，６４  取付金具
【図１】
2019094761.tif 000003
【図２】
2019094761.tif 000004
【図３】
2019094761.tif 000005
【図４】
2019094761.tif 000006
【図５】
2019094761.tif 000007
【図６】
2019094761.tif 000008